【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
歯科装置であって、
その中に歯を設置するための該装置内のいくつかの歯開口と、
完全に萠出していない歯の位置を表すタブであって、使用時に、該完全に萠出していない歯の位置の上に受容されるように配向される、タブと
を備える、歯科装置。
【請求項２】
前記タブは、使用時に、前記歯が完全に萠出すると、該歯によって占有される水平位置の一部に及ぶ長さである、請求項１に記載の歯科装置。
【請求項３】
前記タブは、使用時に、前記歯が完全に萠出すると、該歯によって占有される前記水平位置の半分に及ぶ長さであるか、または、該歯が完全に萠出すると、該歯によって占有される該水平位置全体に及ぶ長さである、請求項２に記載の歯科装置。
【請求項４】
前記タブは表面を含み、該表面は、使用時に、前記タブの表面に隣接して配置される第２の装置の表面と嵌合するように成形される、請求項１に記載の歯科装置。
【請求項５】
前記表面は、使用時に、前記タブの表面に隣接して配置される第２の装置の第２のタブの表面と嵌合するように成形される、請求項４に記載の歯科装置。
【請求項６】
前記タブは裏面を含み、該裏面は、使用時に、前記歯の上面の少なくとも一部と、または、該歯が完全に萠出すると、該歯の上面の少なくとも一部と嵌合するように成形される、請求項１に記載の歯科装置。
【請求項７】
前記タブは側面を含み、該側面は、使用時に、前記歯の側面と嵌合するように成形される、請求項１に記載の歯科装置。
【請求項８】
歯を移動させるように成形されるいくつかの装置のうちの請求項１から７のいずれか一項に記載の第１の歯科装置であって、完全に萠出していない歯の位置を表す第１の長さのタブを有する、第１の歯科装置と、
該いくつかの装置のうちの請求項１から７のいずれか一項に記載の第２の歯科装置であって、歯の位置を表す第２の長さのタブを有する、第２の歯科装置と
を備える、歯科装置システム。
【請求項９】
前記第１の長さおよび前記第２の長さは、等しい、請求項８に記載の歯科システム。
【請求項１０】
前記第１の装置は、使用時に、患者の１つ以上の上歯の上に配置されるように形成され、そして／または前記第２の装置は、使用時に、患者の１つ以上の下歯の上に配置されるように形成される、請求項８に記載の歯科システム。
【請求項１１】
タブの少なくとも１つの表面の厚さは、使用時に、萌出中の歯に接触するように定寸される、請求項８に記載の歯科システム。
【請求項１２】
タブの裏面は、使用時に、萌出中の歯の上面と接触するように配置されるように設計され、該タブの裏面を形成する水平表面は、使用時に、完全に萌出した歯の上面と接触するように配向される前記第１の歯科装置の他の部分を形成するそれらの水平表面よりも下方に配置されることが可能である、請求項８に記載の歯科システム。
【請求項１３】
第１の歯科装置における表面の奥行または厚さのうちの少なくとも１つは、前記第２の歯科装置における対応する表面よりも大きい、請求項８に記載の歯科システム。
【請求項１４】
前記第２の長さのタブは、前記第１の長さのタブよりも長い、請求項８から１３のいずれか一項に記載の歯科システム。
【請求項１５】
前記いくつかの装置のうちの第３の歯科装置をさらに備え、該第３の歯科装置は、完全に萠出していない歯の位置を表す第３の長さのタブを有し、該第３の長さのタブは、前記第１および第２の長さのタブよりも長い、請求項８から１３のいずれか一項に記載の歯科システム。
【請求項１６】
前記第１の装置は、使用時に、完全に萠出していない前記歯が萠出の第１の閾値に到達すると、除去可能であるように形成される、請求項８から１３のいずれか一項に記載の歯科システム。
【請求項１７】
請求項１０から１６のいずれか一項に記載の歯科システムを生成するためのコンピュータ実装方法であって、
患者の口腔内の患者の歯の位置取りを調査することによって、歯を移動させるように成形されるいくつかの装置のうちの第１の歯科装置を設計することであって、該第１の歯科装置は、完全に萠出していない歯の位置を表す第１の長さのタブを有する、ことと、
該いくつかの装置のうちの第２の歯科装置を設計することであって、該第２の歯科装置は、完全に萠出していない歯の位置を表す第２の長さのタブを有する、ことと
を含む、方法。
【手続補正２】
【補正対象書類名】明細書
【補正対象項目名】０００９
【補正方法】変更
【補正の内容】
【０００９】
そのようなタブは、例えば、完全に萠出していない歯の位置の上に受容されるように配向されることが可能である。このように、タブは、いくつかある利点の中でも、歯が完全に適所になくても、調節される１つ以上の他の歯に対して、力および／または支持を提供することが可能である。これは、隣接する（例えば、完全に萠出していない歯の上方または隣の）歯を調節する際に、特に有用であり得る。そのような装置の別の利点は、歯が過度に萌出（例えば、上方萠出）しないように、萌出中の１つ以上の歯に力を作用可能なことである。
例えば、本発明は以下の項目を提供する。
（項目１）
その中に歯を設置するためのいくつかの歯開口と、
完全に萠出していない歯の位置を表すタブであって、使用時に、該完全に萠出していない歯の位置の上に受容されるように配向される、タブと
を備える、歯科装置。
（項目２）
上記タブは、使用時に、上記歯が完全に萠出すると、該歯によって占有される水平位置の一部に及ぶ長さである、項目１に記載の歯科装置。
（項目３）
上記タブは、使用時に、上記歯が完全に萠出すると、該歯によって占有される上記水平位置の半分に及ぶ長さである、項目２に記載の歯科装置。
（項目４）
上記タブは、使用時に、上記歯が完全に萠出すると、該歯によって占有される上記水平位置全体に及ぶ長さである、項目２に記載の歯科装置。
（項目５）
上記タブは表面を含み、該表面は、使用時に、上記タブの表面に隣接して配置される第２の装置の表面と嵌合するように成形される、項目１に記載の歯科装置。
（項目６）
上記表面は、使用時に、上記タブの表面に隣接して配置される第２の装置の第２のタブの表面と嵌合するように成形される、項目５に記載の歯科装置。
（項目７）
上記タブは裏面を含み、該裏面は、使用時に、上記歯の上面と嵌合するように成形される、項目１に記載の歯科装置。
（項目８）
上記タブは裏面を含み、該裏面は、使用時に、上記歯が完全に萠出すると、該歯の上面と嵌合するように成形される、項目１に記載の歯科装置。
（項目９）
上記タブは側面を含み、該側面は、使用時に、上記歯の側面と嵌合するように成形される、項目１に記載の歯科装置。
（項目１０）
歯を移動させるように成形されるいくつかの装置のうちの項目１から９のいずれか一項に記載の第１の歯科装置であって、完全に萠出していない歯の位置を表す第１の長さのタブを有する、第１の歯科装置と、
該いくつかの装置のうちの項目１から９のいずれか一項に記載の第２の歯科装置であって、歯の位置を表す第２の長さのタブを有する、第２の歯科装置と
を備える、歯科装置システム。
（項目１１）
上記第１の長さおよび上記第２の長さは、等しい、項目１０に記載の歯科システム。
（項目１２）
上記第１の装置は、使用時に、患者の１つ以上の上歯の上に配置されるように形成される、項目１０に記載の歯科システム。
（項目１３）
上記第２の装置は、使用時に、患者の１つ以上の下歯の上に配置されるように形成される、項目１２に記載の歯科システム。
（項目１４）
タブの１つ以上の表面の厚さは、使用時に、萌出中の歯に接触するように定寸される、項目１０に記載の歯科システム。
（項目１５）
タブの裏面は、使用時に、萌出中の歯の上面と接触するように配置されるように設計され、該タブの裏面を形成する水平表面は、使用時に、完全に萌出した歯の上面と接触するように配向される上記第１の歯科装置の他の部分を形成するそれらの水平表面よりも下方に配置されることが可能である、項目１０に記載の歯科システム。
（項目１６）
第１の歯科装置における表面の奥行または厚さのうちの少なくとも１つは、上記第２の歯科装置における対応する表面よりも大きい、項目１０に記載の歯科システム。
（項目１７）
上記第２の長さのタブは、上記第１の長さのタブよりも長い、項目１０から１６のいずれか一項に記載の歯科システム。
（項目１８）
上記いくつかの装置のうちの第３の歯科装置をさらに備え、該第３の歯科装置は、完全に萠出していない歯の位置を表す第３の長さのタブを有し、該第３の長さのタブは、上記第１および第２の長さのタブよりも長い、項目１０から１６のいずれかに記載の歯科システム。
（項目１９）
上記第１の装置は、使用時に、完全に萠出していない上記歯が萠出の第１の閾値に到達すると、除去可能であるように形成される、項目１０から１６のいずれか一項に記載の歯科システム。
（項目２０）
項目１０から１６のいずれか一項に記載の歯科システムを生成するためのコンピュータ実装方法であって、
患者の口腔内の患者の歯の位置取りを調査することによって、歯を移動させるために成形されるいくつかの装置のうちの第１の歯科装置を設計することであって、該第１の歯科装置は、完全に萠出していない歯の位置を表す第１の長さのタブを有する、ことと、
該いくつかの装置のうちの第２の歯科装置を設計することであって、該第２の歯科装置は、完全に萠出していない歯の位置を表す第２の長さのタブを有する、ことと
を備える、方法。
（項目２１）
上記患者の口腔内の患者の歯の位置取りを調査することは、治療専門医によって一組の１つ以上のデータ点を手で取得し、該データ点をコンピューティングデバイスに入力することによって達成される、項目２０に記載の方法。